(57)【要約】【課題】            役割遊びを通じて幼児に家族の役割を自然に教示する。【解決手段】        この考案の食器玩具は、食材等を収容する椀状又はカップ状の器部１ａ〜４ａと、テーブル面等に安定的に載置するための底面側の台部１ｂ〜４ｂとで構成される皿，茶碗，椀，湯呑等の器類１〜４の玩具である。一般的な家庭の家族構成の各構成家族の役割又は立場に応じて異なる形状，サイズ，色彩，模様，記号その他の識別表示を上記器類の外表面に表れる状態で表示している。  識別表示は共通するパターンの形状，サイズ，色彩，模様又は記号もしくはこれらの組み合わせである。【選択図】          図１
0003102248.tif 000002
【実用新案登録請求の範囲】
【請求項１】
食材等を収容する椀状又はカップ状の器部（１ａ〜４ａ）と、テーブル面等に安定的に載置するための底面側の台部（１ｂ〜４ｂ）とで構成される器類（１〜４）であって、一般的な家庭の家族構成の各構成家族の役割又は立場に応じて異なる形状，サイズ，色彩，模様，記号その他の識別表示を上記器類の外表面に表れる状態で表示してなる役割教示用食器玩具。
【請求項２】
器類（１〜４）が皿，茶碗，椀，湯呑の１又は２以上の組み合わせである請求項１の役割教示用食器玩具。
【請求項３】
識別表示が共通するパターンの形状，サイズ，色彩，模様又は記号もしくはこれらの組み合わせである請求項１又は２の役割教示用食器玩具。
【考案の詳細な説明】
【技術分野】
【０００１】
この考案は役割遊びを通じて自然に家族の役割を教示するための役割教示用食器玩具に関する。
【背景技術】
【０００２】
従来、ままごと等の役割遊び用玩具としては、食品を模した玩具の切断時に香りを発生させることで、本物の食品を切っているかのような印象を子供に与えるものとして特開２００２−２９２１５５号公報に記載の技術が公知であり、また持ち運び可能なごっこ遊び用マットと布又はプラスチックで構成された小物を備えたごっこ遊び用マット及び玩具として登録実用新案第３０８０１９１号公報に記載の技術が公知である。
【考案の開示】
【考案が解決しようとする課題】
【０００３】
しかし上記の公知技術は、擬似的な食品，台所，家電製品を使用したままごと等の役割遊びを通じて、調理や食事等が擬似的に体験できるものの、家族の役割を教示する玩具ではなかった。また最近、親子の社会的存在や役割の大小等を認識できず又はこれらを身につけない子供が多く、幼児に特別な教育もなされていないというのが現状であり、さらに家族の役割を教示する玩具が存在しないという問題があった。
【０００４】
現代社会は、昔とは異なり、祖父母との同居も少なくなり核家族化が進み、また両親が共働きや様々な事情により母子家庭や父子家庭の家族が増えていき、家族の形態が多様化して来ている。そこでこの考案は家族を養う大黒柱としての父親の役割と家事育児をこなす母親の役割を役割遊びによって幼い子供達に再認識させ、ひいては集団中の個人の役割や責任を自覚させ、家族の関係，友達との関係，社会的なルールを守る態度を学び、他人の立場を理解することを幼児に教えることを目的とする。
この考案はこれらの課題を解決又は改善し、役割遊びを通じて自然に家族の役割を教示するものである。
【課題を解決するための手段】
【０００５】
上記課題を解決するための本考案の役割教示用食器玩具は、第１に、食材等を収容する椀状又はカップ状の器部１ａ〜４ａと、テーブル面等に安定的に載置するための底面側の台部１ｂ〜４ｂとで構成される器類１〜４であって、一般的な家庭の家族構成の各構成家族の役割又は立場に応じて異なる形状，サイズ，色彩，模様，記号その他の識別表示を上記器類の外表面に表れる状態で表示してなることを特徴としている。
【０００６】
第２に、器類１〜４が皿，茶碗，椀，湯呑の１又は２以上の組み合わせであることを特徴としている。
【０００７】
第３に、識別表示が共通するパターンの形状，サイズ，色彩，模様又は記号もしくはこれらの組み合わせであることを特徴としている。
【考案の効果】
【０００８】
家族で共通に所有する持ち物である茶碗、皿等の器類である食器を例えば所定の比率により、父、母、子供等の役割毎に構成家族用に大きさを変え又は色、模様、マークなどの抽象化された識別表示により区別することで、父親，母親，その他の構成家族の役割を無意識の内に身につけさせ、相手（父親，母親，その他の構成家族）の立場に立って思考させる機会を子供に与え、家族の在り方をままごと等の役割遊びを通じて認識させることができる。
【考案を実施するための最良の形態】
【０００９】
以下本考案の実施形態を図面に基づき説明する。図１〜４は皿１，茶碗２，汁椀（椀）３，湯呑４等の主として飲食用の器類を模した役割教示用食器玩具の各種食器の正面図であり、図中の（Ａ）〜（Ｂ）は構成家族のうち父，母，子供の役割を示すものである。
【００１０】
図示する器類１〜４はいずれも椀状又はカップ状の器部１ａ〜４ａと、これをテーブル上等に安定的に載置するための高台等からなる台部１ｂ〜４ｂとで構成されている。図示する例では器類１〜４の器部１ａ〜４ａの開口部径をＤ1〜Ｄ12で表し、それぞれの全体高さをＨ1〜Ｈ12で表している。
【００１１】
図１は（Ａ）父用，（Ｂ）母用，（Ｃ）子供用，（Ｄ）子供用のそれぞれの皿を示しており、開口部径がＤ1＞Ｄ2＞Ｄ3で、高さがＨ1＞Ｈ2＞Ｈ3の不等号で示すように父用，母用，子供用の順に皿の開口部径び高さが順次小さくなる構成となっている。この例ではＤ1＝１６０ｍｍ，Ｈ1＝３５ｍｍ，Ｄ2＝１４４ｍｍ，Ｈ2＝３１．５ｍｍ，Ｄ3＝１２８ｍｍ，Ｈ3＝２８ｍｍとなり、父用：母用：子供用＝１０：９：８の比率で皿の開口部径及び高さが順次小さくなる構成となっている。
【００１２】
図２は（Ａ）父用，（Ｂ）母用，（Ｃ）子供用，（Ｄ）子供用のそれぞれの茶碗を示しており、開口部径がＤ4＞Ｄ5＞Ｄ6で、高さがＨ4＞Ｈ5＞Ｈ6の不等号で示すように父用，母用，子供用の順に茶碗の開口部径及び高さが順次小さくなる構成となっている。この例ではＤ4＝１１０ｍｍ，Ｈ4＝５０ｍｍ，Ｄ5＝９９ｍｍ，Ｈ5＝４５ｍｍ，Ｄ6＝８８ｍｍ，Ｈ6＝４０ｍｍとなり、父用：母用：子供用＝１０：９：８の比率で上記皿と同様に茶碗の開口部径及び高さが順次小さくなる構成となっている。
【００１３】
図３は（Ａ）父用，（Ｂ）母用，（Ｃ）子供用，（Ｄ）子供用のそれぞれの椀を示しており、開口部径がＤ7＞Ｄ8＞Ｄ9で、高さがＨ7＞Ｈ8＞Ｈ9の不等号で示すように父用，母用，子供用の順に碗の開口部径及び高さが順次小さくなる構成となっている。この例ではＤ7＝１００ｍｍ，Ｈ7＝５０ｍｍ，Ｄ8＝９０ｍｍ，Ｈ8＝４５ｍｍ，Ｄ9＝８０ｍｍ，Ｈ9＝４０ｍｍとなり、父用：母用：子供用＝１０：９：８の比率で上記皿や茶碗と同様に椀の開口部径及び高さが順次小さくなる構成となっている。
【００１４】
図４は（Ａ）父用，（Ｂ）母用，（Ｃ）子供用，（Ｄ）子供用のそれぞれの湯呑を示しており、開口部径がＤ10＞Ｄ11＞Ｄ12で、高さがＨ10＞Ｈ11＞Ｈ12の不等号で示すように父用，母用，子供用の順に湯呑の開口部径及び高さが順次小さくなる構成となっている。この例ではＤ10＝５５ｍｍ，Ｈ10＝５５ｍｍ，Ｄ11＝４９．５ｍｍ，Ｈ11＝４９．５ｍｍ，Ｄ12＝４４ｍｍ，Ｈ12＝４４ｍｍとなり、父用：母用：子供用＝１０：９：８の比率で上記皿，茶碗，椀と同様に湯呑の開口部径及び高さが順次小さくなる構成となっている。
【００１５】
以上の構成による役割教示用食器玩具の使用方法としては、例えば４人の子供が役割遊び（いわゆるおうちごっこ遊び）をした場合に、父親役１名，母親役１名，子供役２名を選出し、母親役の子が食事の準備をして、本考案である食器を食卓に並べ、父親役の食器から母親そして子供の食器に食事を食器のサイズに合わせて順次盛り付ける。そして父親役の子の「頂きます」等の挨拶とともに全員が食べ始め、全員が食べ終わると「ご馳走様でした」等の挨拶により、食事が終了し、母親役の子が食器を片付け、役割遊びの一連の流れが終了する。
【００１６】
また本考案の役割教示用食器玩具は皿，茶碗，椀，湯呑だけであるが、上記態様に限らず、図１とは異なる皿，小鉢，グラス等の他の食器にすることもできるほか、役割ごとに異なるサイズに形成するだけでなく、役割ごとに異なる形状，色，模様，マーク等の表示を単独で又はこれらの任意の要素を組み合わせて表示することにより、役割を表示する食器として構成することもできる。さらに、本考案の食器は、木材，合成樹脂等の種々の材料も識別表示の要素として使用することが可能であり、役割ごとのサイズの比率も上記態様に限定することなく、他の比率で作ることもできる。その他、祖父，祖母等の構成家族用の食器を作ることもできるほか、子供用の食器等にも兄弟，姉妹等の表示，表現状の差をもたせて、例えば姉と妹等の役割の違いを身につけさせることもできる。
【図面の簡単な説明】
【００１７】
【図１】（Ａ）〜（Ｄ）は役割毎の本考案の食器のうち皿を示す正面図である。
【図２】（Ａ）〜（Ｄ）は役割毎の本考案の食器のうち茶碗を示す正面図である。
【図３】（Ａ）〜（Ｄ）は役割毎の本考案の食器のうち椀を示す正面図である。
【図４】（Ａ）〜（Ｄ）は役割毎の本考案の食器のうち湯呑を示す正面図である。
【符号の説明】
【００１８】
１    皿（器類）
２    茶碗（器類）
３    椀（器類）
４    湯呑（器類）
１ａ〜４ａ    器部
１ｂ〜４ｂ    台部
【図１】
0003102248.tif 000003
【図２】
0003102248.tif 000004
【図３】
0003102248.tif 000005
【図４】
0003102248.tif 000006